(57)【要約】【課題】メカシャーシを高い位置で保持できるディスク記録再生装置を提供する。【解決手段】ディスク再生機構を搭載したメカシャーシ３と、メインシャーシ５１と、ディスク再生機構に伝わる振動を減衰させるダンパー４とを有し、ダンパー４は、メカシャーシ３とメインシャーシ５１との間に設けられるとともに、メインシャーシ５１に対してネジにて固定されるディスク記録再生装置において、ダンパー４は、ネジ６１の頭部６２を収容するための凹部４２を有する。また、メインシャーシ５１は、ダンパー４が固定される箇所にメカシャーシ３の支持位置を高くするための座５３を有する。また、ダンパー４は、凹部４２を上下に有する。【選択図】        図６
2004234769.tif 000002
【特許請求の範囲】
【請求項１】
ディスク再生機構を搭載したメカシャーシと、該メカシャーシを納めるメインシャーシと、該メカシャーシと該メインシャーシとの間に設けられ前記ディスク再生機構に伝わる振動を減衰させるダンパーとを有するディスク記録再生装置において、
前記ダンパーは、ネジによって固定され、かつ、該ネジの頭部を収容するための凹部を有することを特徴とするディスク記録再生装置。
【請求項２】
前記メインシャーシは、前記ダンパーが固定される箇所に前記メカシャーシの支持位置を高くするための座を有することを特徴とする請求項１記載のディスク記録再生装置。
【請求項３】
前記ダンパーは、前記凹部を上下に有することを特徴とする請求項１又は請求項２記載のディスク記録再生装置。
【請求項４】
前記ダンパーは、上下対称形状であることを特徴とする請求項１から請求項３のいずれか一項に記載のディスク記録再生装置。
【請求項５】
前記凹部は、突起を周方向に配列して形成されることを特徴とする請求項１から請求項４のいずれか一項に記載のディスク記録再生装置。
【発明の詳細な説明】
【０００１】
【発明の属する技術分野】
本発明は、ダンパー部材によりディスク再生機構に伝わる振動を減衰させるようにしたディスク記録再生装置に関する。
【０００２】
【従来の技術】
ディスク状記録媒体を用いたディスク記録再生装置では、外部振動や衝撃等に対する防振手段としてダンパーを用いてディスク再生機構を搭載するメカシャーシを緩衝支持する構造が用いられている。特許文献１はこのような従来の緩衝支持構造について提案している。
【０００３】
また、図１０は、従来例１の中空ダンパー部材を説明するための図であり、中空ダンパーをメカシャーシ、メインシャーシに固定した際の断面図である。図１０に示すように、Ｄはディスク、３はメカシャーシ、２５１はメインシャーシ、６１はネジ、３４０はダンパーをそれぞれ示している。ダンパー３４０は、中空部３４２が形成される中空ダンパーである。このダンパー３４０は、メインシャーシ２５１に一体成形されたボス部２５２に外嵌され、上からダンパー３４０の中空部を通じて挿入されたネジ６１によってボス部２５２と結合される。また、ダンパー３４０の周面のほぼ中間の高さには、溝３４１が設けられており、この溝３４１にメカシャーシ３が嵌め込まれるようになっている。
【０００４】
次に、他の従来例について説明する。図１１は、従来例２の無垢ダンパーを説明するための図であり、無垢ダンパーをメカシャーシ、メインシャーシに固定した際の断面図である。図１１に示すように、Ｄはディスク、３はメカシャーシ、２５１はメインシャーシ、６１はネジ、４４０はダンパーをそれぞれ示している。ダンパー４４０は、無垢ダンパーである。このダンパー４４０は、メインシャーシ２５１に一体成形されたボス部２５２に外嵌され、上からダンパー４４０の中空部を通じて挿入されたネジ６１によってボス部２５２と結合される。ダンパー４４０の周面のほぼ中間の高さには、溝４４１が設けられており、この溝４４１にメカシャーシ３が嵌め込まれるようになっている。
【０００５】
次に、無垢ダンパーの他の従来例について説明する。図１２は、従来例３の無垢ダンパーを説明するための図であり、無垢ダンパーをメカシャーシ、メインシャーシに固定した際の断面図である。図１２に示すように、Ｄはディスク、３はメカシャーシ、２５１はメインシャーシ、６１はネジ、５４０はダンパーをそれぞれ示している。
【０００６】
ダンパー５４０は、無垢ダンパーである。このダンパー５４０は、メインシャーシ２５１に一体成形されたボス部２５２に外嵌され、上からダンパー５４０の中空部を通じて挿入されたネジ６１によってボス部２５２と結合される。ダンパー４４０の周面の中間よりディスク側の位置には、溝５４１が設けられており、この溝５４１にメカシャーシ３が嵌め込まれている。溝５４１をダンパー４４０の周面の中間よりディスク側の位置に形成しているため、メカシャーシ３をより高い位置に保持することができるようにしている。
【０００７】
次に他の従来の無垢ダンパーの例について説明する。図１３は、他の従来の無垢ダンパーを説明するための図であり、無垢ダンパーをメカシャーシ、メインシャーシに固定した際の断面図である。図１３に示すように、Ｄはディスク、３はメカシャーシ、２５１はメインシャーシ、６１はネジ、６４０はダンパーをそれぞれ示している。
【０００８】
ダンパー６４０は、無垢ダンパーである。ダンパー６４０は、メインシャーシ２５１に一体成形されたボス部２５２に外嵌され、上からダンパー６４０の中空部を通じて挿入されたネジ６１によってボス部２５２と結合される。ダンパー６４０の周面のほぼ中間の高さには、溝６４１が設けられており、この溝６４１にメカシャーシ３が嵌め込まれるようになっている。
【０００９】
また、ネジ６１の頭部とダンパー６４０が接触する位置には、突起６４２が形成されている。この突起６４２は作業性を向上させるために、上下に形成されている。図１４はダンパー６４０の突起６４２を説明するための図である。図１４に示すように、ネジ６１の頭部とダンパー６４０が接触する位置には、突起６４２が放射状に多数設けられている。
【００１０】
【特許文献１】
特開２００１−３４４９５９号公報
【発明が解決しようとする課題】
しかしながら、従来のダンパーでは、ダンパーをメインシャーシに固定する際、ダンパーをネジで上から押さえ込む構造となるので、干渉を避けるためにネジの頭部の厚みを考慮してダンパーの外形を設定する必要がある。
【００１１】
また、従来例１のディスク記録再生装置では、メカシャーシ３の支持位置をさらに高くしたいが、ディスクＤとの関係でメカシャーシの支持位置をこれ以上高くすることはできないという問題があった。また、従来例２のディスク記録再生装置においても、従来例１と同様にメカシャーシ３の支持位置をさらに高くしたいが、ディスクＤとの関係でメカシャーシ３の支持位置をこれ以上高くすることはできないという問題があった。
【００１２】
また、メカシャーシを高く支持したい場合には、図１２に示すように溝５４１をダンパー４４０の周面の中間よりディスク側の位置に形成して、ダンパーの下部を厚くして、ダンパーの上部を短くするようにしていたが、ダンパーが上下非対称形状となってしまうため、取り付け時に上下方向を考慮してダンパーを取り付ける必要があり、作業性が悪くなるという問題があった。
【００１３】
そこで、本発明は上記従来技術の問題点を解決し、メカシャーシを高い位置で保持できるディスク記録再生装置を提供することを目的とする。
【００１４】
【課題を解決するための手段】
上記課題を解決するために、請求項１記載のディスク記録再生装置は、ディスク再生機構を搭載したメカシャーシと、該メカシャーシを納めるメインシャーシと、該メカシャーシと該メインシャーシとの間に設けられ前記ディスク再生機構に伝わる振動を減衰させるダンパーとを有するディスク記録再生装置において、前記ダンパーは、ネジによって固定され、かつ、該ネジの頭部を収容するための凹部を有することを特徴とする。
【００１５】
請求項１記載の発明によれば、ダンパーは、ネジの頭部を収容するための凹部を有するので、ネジの頭部をダンパーの外形内に納めるようにすることができるため、従来よりも、メインシャーシに対してメカシャーシを高い位置で保持できる。
【００１６】
また、請求項２記載の発明は、請求項１記載のディスク記録再生装置において、前記メインシャーシは、前記ダンパーが固定される箇所に前記メカシャーシの支持位置を高くするための座を有することを特徴とする。請求項２記載の発明によれば、メインシャーシは、ダンパーが固定される箇所にメカシャーシの支持位置を高くするための座を有するので、メカシャーシをさらに高い位置で保持できる。
【００１７】
また、本発明は、請求項３記載のように、請求項１又は請求項２記載のディスク記録再生装置において、前記ダンパーは、前記凹部を上下に有することを特徴とする。請求項３記載の発明によれば、ダンパーの上下にダンパーを固定するネジの頭部を収容するための凹部を形成するようにしたので、ダンパーを固定する際にダンパーの上下方向を考慮することなく固定できるため、作業性を損なうことはない。
本発明は、請求項４記載のように、請求項３記載のディスク記録再生装置において、前記ダンパーは、上下対称形状であることを特徴とする。請求項４記載の発明によれば、ダンパーは、上下対称形状であるため、ダンパーの上下方向を考慮することなく固定できるため、作業性を損なうことはない。
【００１８】
また、本発明は、請求項５記載のように、請求項１から請求項４のいずれか一項に記載のディスク記録再生装置において、前記凹部は、突起を周方向に配列して形成されることを特徴とする。請求項５記載の発明によれば、ネジの頭部を収容するための凹部は、周方向に突起を配列して形成されるので、上の突起はネジの頭部を収容する凹部を形成する。また、下部に突起がある場合には、ダンパーの変形による損失を促進させることができる。
【００１９】
【発明の実施の形態】
（第１の実施の形態）
以下、本発明を適用した第１の実施の形態について、図面を参照しながら説明する。図１及び図２は、本実施形態のディスク記録再生装置の全体的な構成を示す図である。図１及び図２に示すように、ディスク記録再生装置１００は、トレー１と、メインシャーシ２と、メカシャーシ３と、ダンパー４と、再生メカユニット５と、ピックアップ送りモータ１０と、クランパホルダ１１と、クランパ１２と、光ピックアップ１４を備える。
【００２０】
ディスク記録再生装置１００は、ディスク（図示せず）が搭載されるトレー１をドライブ本体部としてのメインシャーシ２に対して出し入れ自在に構成されている。つまり、トレー１の両側面にはガイド突起１ａが設けられ、これらのガイド突起１ａはメインシャーシ２に設けられた図示しない水平ガイド部に嵌め込まれている。これにより、トレー１はディスク面と平行に直線方向に案内され、図１に示すトレー排出位置と図２に示すトレー収納位置との間で搬送される。
【００２１】
次に、再生メカユニット５について説明する。図３は、図１のディスク記録再生装置における再生メカユニットの構成を示す分解斜視図である。図４は、図３の再生メカユニットの分解斜視図である。図３に示すように、メインシャーシ２内には、ディスク再生機構を搭載したメカシャーシ３を複数（図では、３つ）のダンパー４を介して支持して構成される再生メカユニット５が配置されている。
【００２２】
メカシャーシ３は、ディスクモータ１３、光ピックアップ１４及びピックアップ送りモータ１０によって駆動されるピックアップ送り機構等を搭載している。ディスクモータ１３のモータ軸には、ディスクを図１に示すクランパ１２との間に挟持して駆動するためのターンテーブル１６が取り付けられている。また、図３、図４に示すように、再生メカユニット５のトレー挿入方向において奥側の両側面には回動軸６が突設されている。
【００２３】
これらの回動軸６はメインシャーシ２の軸保持部７に回動自在に保持されている。また、再生メカユニット５のトレー挿入方向手前側の面には、回動案内軸８が突設されている。この回動案内軸８は、メインシャーシ２内に設けられたメカユニット回動機構（図示省略）の周面に形成された案内溝（図示省略）に保持されている。
【００２４】
したがって、再生メカユニット５の回動案内軸８は、メカシャーシ回動機構（図示省略）の回転により案内溝（図示省略）に沿って上下方向に案内されることで、再生メカユニット５が軸保持部７を支点として傾動し、ディスククランプ動作とクランプ解除動作を行うように構成されている。
【００２５】
また、図１及び図２に示すように、メインシャーシ２にはクランパホルダ１１を介してクランパ１２が保持されている。さらに、メインシャーシ２内にはトレーローディング及びディスククランプのための機構系が設けられている。
【００２６】
次に、図３に示した再生メカユニット５において、メカシャーシ３を再生メカユニット５の基体５１上に支持する部分の防振構造について説明する。図４に示すように、メカシャーシ３は、再生メカユニット５の基体５１上に複数のダンパー４を介して支持されている。再生メカユニット５の基体５１には、メカシャーシ３をダンパー４を介してネジ６１で固定するためのボス部５２が設けられている。なお、本実施の形態では、再生メカユニット５の基体５１上にボス５２を設けるようにしているが、後述する第２の実施の形態で説明するように、再生メカユニット５の基体５１を有しない構造の場合には、メインシャーシ２にこのボス５２を直接設けるようにしてもよい。
【００２７】
図５は、メカシャーシへのダンパーの装着について説明するための図である。図５に示すように、メカシャーシ３へのダンパー４の装着は、メカシャーシ３に設けられたダンパー装着孔７２にて行われる。このダンパー装着孔７２にはシャーシ３の端面に開口したダンパー挿脱口７２ａが連設されており、ダンパー装着孔７２へのダンパー４の挿脱はこのダンパー挿脱口７２ａを通じて行われる。
【００２８】
次に、本実施の形態に係るダンパーについて説明する。図６は、本実施の形態のダンパーをメカユニットの基体、メカシャーシに固定した際の断面図である。図６において、Ｄはディスク、３はメカシャーシ、４はダンパー、５１はメカユニットの基体、６１はネジである。ダンパー４は、中空ダンパーである。
【００２９】
また、ダンパー４は、メカユニット５の基体５１に一体成形されたボス部５２に外嵌され、上からダンパー４の中空部４３を通じて挿入されたネジ６１によってボス部５２と結合される。ダンパー４の周面のほぼ中間の高さには、溝４１が設けられており、この溝４１にメカシャーシ３が嵌め込まれている。
【００３０】
また、本実施の形態に係るダンパー４は、従来と異なり、ダンパー４のディスク面側にネジ６１の頭部６２を収容するための凹部４２を形成するようにしたので、ネジ６１の頭部６２をダンパー４の外形内に納めることができる。また、メカユニットの基体５１にメカシャーシ３の支持位置を高くするために、メカユニットの基体５１に一体的に形成された座５３を設けるようにした。なお、本実施の形態では、ダンパー４が上下対称形状となるように、上下にダンパー４の凹部４２を設けている。
【００３１】
以上の構成により、ダンパー４は上下対称形状であるため、作業時に上下方向を考慮することなくダンパー４をメカユニットの基体５１に取り付けることができるので、作業性が損なわれることはない。さらに、従来より、ネジの頭の厚み分だけメカシャーシ３を高い位置で保持することができる。
【００３２】
なお、本実施の形態では、メカユニットの基体５１にダンパー４を固定する実施の形態について説明したが、後述する第２の実施の形態で説明するように、メインシャーシに直接ダンパーを固定する場合にも本実施の形態に係るダンパーを適用することができる。また、ダンパーがメカシャーシとメインシャーシとの間に設けられ、ネジによって固定されるという場合には、メカシャーシとメインシャーシとの間でダンパーがメカユニットの基体５１にネジによって固定される場合も含まれる。
【００３３】
（第２の実施の形態）
次に、第２の実施の形態に係るディスク記録再生装置のダンパーについて説明する。なお、第１の実施の形態では、メカユニットの基体にダンパーを固定する実施の形態について説明したが、第２の実施の形態では、図７に示すようなメインシャーシ１５１にダンパーを直接固定する実施の形態について説明する。図７は、第２の実施の形態のディスク記録再生装置のメインシャーシ１５１を示す図である。図８は、第２の実施の形態に係るディスク記録再生装置のダンパーをメインシャーシ及びメカシャーシに固定した際の断面図である。また、図９は、ダンパーをディスク面側から見た図である。
【００３４】
図８において、Ｄはディスク、３はメカシャーシ、１４０はダンパー、１５１はメインシャーシ、６１はネジである。メインシャーシ１５１には、メカシャーシ３の支持位置を高くするための座１５３が設けられている。ダンパー１４０は、無垢ダンパーである。また、ダンパー１４０は、メインシャーシ１５１のボス部１５２に外嵌され、上からダンパー１４０の中空部１４４（図９参照）を通じて挿入されたネジ６１によってボス部１５２と結合される。
【００３５】
ダンパー１４０の周面のほぼ中間の高さには、溝１４１が設けられており、この溝１４１にメカシャーシ３が嵌め込まれている。本実施の形態に係るダンパー１４０は、従来と異なり、ダンパー１４０のディスク面側にネジ６１の頭部６２を収容するための凹部１４２が形成されている。このため、ネジ６１の頭部６２をダンパー１４０の外形内に納めることができる。
【００３６】
また、凹部１４２の壁部は、図９に示すように、突起１４３を周方向に多数配列することにより形成している。なお、この突起１４３の数は図９に示す突起の個数に限定されることはない。また、凹部は環状に壁部が繋がるようにして形成してもよい。
【００３７】
また、メインシャーシ１５１に対してメカシャーシ３の支持位置を高くするために、メインシャーシ１５１に一体的に形成された座１５３を設けるようにした。このため、従来より、ネジの頭の厚みの分だけメカシャーシ３を高い位置で保持することができる。
【００３８】
また、本実施の形態のダンパー１４０は、メインシャーシ１５１側にも、ディスク側と同様に突起１４３を周方向に多数配列して、凹部１４２を形成するようにしている。これにより、ダンパー１４０は上下対称形状となるため、作業時に上下方向を考慮することなくダンパー１４０をメインシャーシ１５１に取り付けることができるので、作業性が損なわれることはない。
【００３９】
以上、本発明の一実施の形態を説明した。本発明は上記実施の形態に限定されるものではなく、本発明の要旨の範囲内において種々の変形実施が可能であり、ディスク記録再生装置には、ＣＤ−ＲＯＭ、ＣＤ−Ｒ、ＣＤ−ＲＷ、ＤＶＤ−ＲＯＭ、ＤＶＤ−ＲＡＭ等の記録媒体をドライブする装置の全てが含まれる。
【００４０】
【発明の効果】
以上説明した本発明によれば、メカシャーシを高い位置で保持できるディスク記録再生装置を提供できる。
【図面の簡単な説明】
【図１】第１の実施の形態のディスク記録再生装置の全体的な構成を示す図である。
【図２】第１の実施の形態のディスク記録再生装置の全体的な構成を示す図である。
【図３】図１のディスク記録再生装置における再生メカユニットの構成を示す分解斜視図である。
【図４】図３の再生メカユニットの分解斜視図である。
【図５】メカシャーシへのダンパーの装着について説明するための図である。
【図６】ダンパーをメカユニットの基体、メインシャーシに固定した際の断面図である。
【図７】第２の実施の形態のディスク記録再生装置のメインシャーシを示す図である。
【図８】第２の実施の形態に係るディスク記録再生装置のダンパーをメインシャーシ及びメカシャーシに固定した際の断面図である。
【図９】ダンパーをディスク面側から見た図である。
【図１０】従来の中空ダンパーを説明するための図である。
【図１１】従来の無垢ダンパーを説明するための図である。
【図１２】他の従来の無垢ダンパーを説明するための図である。
【図１３】他の従来の無垢ダンパーを説明するための図である。
【図１４】ダンパーに形成された突起を説明するための図である。
【符号の説明】
４  ダンパー
４１  溝
４２  凹部
５１  メカユニットの基体
６１  ネジ
５２  ボス部
５３  座
１４０  ダンパー
１４１  溝
１４２  凹部
１４３  突起
１５１  メインシャーシ
１５２  ボス部
１５３  座
【図１】
2004234769.tif 000003
【図２】
2004234769.tif 000004
【図３】
2004234769.tif 000005
【図４】
2004234769.tif 000006
【図５】
2004234769.tif 000007
【図６】
2004234769.tif 000008
【図７】
2004234769.tif 000009
【図８】
2004234769.tif 000010
【図９】
2004234769.tif 000011
【図１０】
2004234769.tif 000012
【図１１】
2004234769.tif 000013
【図１２】
2004234769.tif 000014
【図１３】
2004234769.tif 000015
【図１４】
2004234769.tif 000016